(57)【要約】【課題】  この発明は、磁性素子を検知する複数の検知回路のうちの媒体に付与された磁性素子を検知した検知回路の組み合わせに応じて媒体に付与された磁性素子により形成される情報を読み取る磁性素子を付与した媒体、媒体の情報読取方法および装置を提供する。【解決手段】  磁界が与えられることにより信号を発生する少なくとも１つの磁性素子が付与された媒体から識別情報を読み取る情報読取装置において、媒体に磁界を与え、該磁界により磁性素子から発生される信号を検出する複数の検知手段と、複数の検知手段のうちの磁界が与えられることにより磁性素子から発生される信号が検出された検知手段の組み合わせに応じて媒体に付与された磁性素子により形成される情報を読み取る情報読取手段とを具備する。【選択図】  図２
2006268321.tif 000002
【特許請求の範囲】
【請求項１】
磁界が与えられることにより信号を発生する少なくとも１つの磁性素子が付与された媒体から識別情報を読み取る情報読取装置において、
前記媒体に磁界を与え、該磁界により前記磁性素子から発生される信号を検出する複数の検知手段と、
前記複数の検知手段のうちの前記磁界が与えられることにより前記磁性素子から発生される信号が検出された前記検知手段の組み合わせに応じて前記媒体に付与された磁性素子により形成される情報を読み取る情報読取手段と
を具備することを特徴とする情報読取装置。
【請求項２】
前記複数の検知手段は、
前記磁界が与えられることにより前記磁性素子から発生される信号を検出する検知コイル
をそれぞれ具備し、
前記検知コイルは、
各中心位置がそれぞれ等間隔で格子状に配置されること
を特徴とする請求項１記載の情報読取装置。
【請求項３】
前記検知コイルは、
その検出領域が前記格子状の間隔に対応して設定される
ことを特徴とする請求項２記載の情報読取装置。
【請求項４】
前記情報読取手段は、
前記検知手段の検知出力の有無に応じて前記媒体に付与された磁性素子により形成される情報を読み取る
ことを特徴とする請求項１乃至３のいずれかに記載の情報読取装置。
【請求項５】
前記情報読取手段は、
前記検知手段の検出信号パターンに応じて前記媒体に付与された磁性素子により形成される情報を読み取る
ことを特徴とする請求項１乃至３のいずれかに記載の情報読取装置。
【請求項６】
前記磁性素子は、
長さおよび形状が異なる磁性素子を含み、
前記情報読取手段は、
前記磁性素子の数および長さおよび形状の組み合わせに対応して前記検知手段により検出される検出信号パターンに応じて前記媒体に付与された磁性素子により形成される情報を読み取る
ことを特徴とする請求項１乃至３のいずれかに記載の情報読取装置。
【請求項７】
前記磁性素子から発生される信号は、
前記磁性素子が磁化反転時に発する磁束変化に基づく信号である
ことを特徴とする請求項１乃至３のいずれかに記載の情報読取装置。
【請求項８】
前記磁性素子から発生される信号は、
前記磁性素子が磁歪振動により発する信号である
ことを特徴とする請求項１乃至３のいずれかに記載の情報読取装置。
【請求項９】
少なくとも１つの磁性素子を媒体に付与し、
前記媒体に磁界を与え、該磁界により前記媒体に付与された前記少なくとも１つの磁性素子から発生される信号を複数の検知手段で検出し、
前記複数の検知手段のうちの前記磁性素子から発生される信号が検出された前記検知手段の組み合わせに応じて前記媒体に付与された磁性素子により形成される情報を読み取
ことを特徴とする情報読取方法。
【請求項１０】
磁界が与えられることにより信号を発生する少なくとも１つの磁性素子が付与された媒体であって、
前記磁性素子は、該磁性素子を検出する検知コイルの配置間隔に基づく検知領域を越えた間隔で配置され、
前記磁性素子の数に対応して前記媒体を特定する情報が形成される
ことを特徴とする媒体。
【請求項１１】
前記磁性素子は、
長さや形状が異なる磁性素子を含み、
前記磁性素子の数および長さや形状の組み合わせに対応して前記媒体を特定する情報を形成する
ことを特徴とする請求項１０記載の媒体。
【請求項１２】
前記磁性素子は、
磁気特性が異なる磁性素子を含み、
前記磁性素子により形成される情報は、
該磁性素子の数および長さおよび磁気特性のうちの少なくとも２つの組み合わせに対応して前記媒体を特定する情報を形成する
ことを特徴とする請求項１０または１１記載の媒体。
【請求項１３】
前記磁性素子から発生される信号は、
前記磁性素子が磁化反転時に発する磁束変化に基づく信号である
ことを特徴とする請求項１０乃至１２のいずれかに記載の媒体。
【請求項１４】
前記磁性素子から発生される信号は、
前記磁性素子が磁歪振動により発する信号である
ことを特徴とする請求項１０至１３のいずれかに記載の媒体。
【発明の詳細な説明】
【技術分野】
【０００１】
この発明は、磁性素子を付与した媒体、媒体の情報読取方法および装置に関し、特に、磁性素子を検知する複数の検知回路のうちの媒体に付与された磁性素子を検知した検知回路の組み合わせに応じて媒体に付与された磁性素子により形成される情報を読み取る磁性素子を付与した媒体、媒体の情報読取方法および装置に関する。
【背景技術】
【０００２】
近年、機密情報や個人情報等の漏洩防止、有価証券等の不正複写による偽造防止等、セキュリティ強化を目的とする種々の方法や装置が提供されている。
【０００３】
有価証券等の偽造防止を目的として、例えば特定のパターンや赤外線吸収剤を含有する特殊インク等が潜像された特殊用紙を用いて有価証券等を作成することで、有価証券等の偽造を防止する方法が提案されている。
【０００４】
この方法は、特殊用紙で作成された有価証券等がスキャナ（画像読取装置）や複写機等により複写された場合、特殊用紙に潜像された特定のパターン、特殊インク等が目視可能な状態で印刷され、複写物であることが識別されることで偽造が防止できるように構成されている。
【０００５】
また、例えば、特許文献１には、カラーコピー機等による偽造や有価証券用紙自体の偽造を極めて困難にする偽造防止用紙およびそれを用いた有価証券の提案がなされており、特許文献２には、特定原稿の複写行為が行われても、必ず特定のパターンを付加できる画像処理装置及び方法が提案されている。
【０００６】
上記特許文献１による提案は、パルプ繊維でなる紙基材に、メタメリックな色料を含有するインキが塗布された紙小片もしくは繊維片と、該メタメリックな色料を含有するインキと太陽光等通常光の下で同色相に見える通常色インキで着色された紙小片もしくは繊維片とが略同量漉き込まれた偽造防止用紙とすることで、カラーコピーされた有価証券類に色相が異なる２種の斑点状が現れ、偽造防止ができるように構成されている。
【０００７】
また、上記特許文献２による提案は、原稿からの画像と転写材からの画像とを合わせて原稿の特定性を判定することで、特定性のある原稿の出力画像を必ず加工して出力し、本来複写されるべきでない特定原稿（例えば紙幣）が複写された場合に、複写した装置の所在地を限定する手がかりとすることができるように構成されている。
【特許文献１】特開２００１−１５９０９４号公報
【特許文献２】特開平０５−２１９３５１号公報
【発明の開示】
【発明が解決しようとする課題】
【０００８】
しかし、上記特許文献１及び特許文献２に示される提案は、いずれも用紙の画像情報が複写されて印刷出力されることで用紙に付与された特定のパターンが検知される、もしくは特定のパターンが付加されて検知されることで用紙が複写されたことを識別できるように構成されており、用紙をスキャンすることなく瞬時に用紙の複写を不可とする、もしくは特定原稿であるか否かを判別する方法や装置、偽造防止用紙等の提案が望まれる。
【０００９】
また、用紙をスキャンして光学的に用紙上に付与された特定のパターンを検知する方法では、特定のパターンが形成された領域にゴミや汚れ等が存在する場合は、特定のパターンが誤検知される場合があり、これらの影響を受けることなく用紙に付与された複写不可の情報を確実に検知して複写防止を行う信頼性の高い装置や方法の提案が望まれる。
【００１０】
そこで、本発明は、磁性素子を検知する複数の検知回路のうちの媒体に付与された磁性素子を検知した検知回路の組み合わせに応じて媒体に付与された磁性素子により形成される情報を読み取る磁性素子を付与した媒体、媒体の情報読取方法および装置を提供することを目的とする。
【課題を解決するための手段】
【００１１】
上記目的を達成するため、請求項１の発明は、磁界が与えられることにより信号を発生する少なくとも１つの磁性素子が付与された媒体から識別情報を読み取る情報読取装置において、前記媒体に磁界を与え、該磁界により前記磁性素子から発生される信号を検出する複数の検知手段と、前記複数の検知手段のうちの前記磁界が与えられることにより前記磁性素子から発生される信号が検出された前記検知手段の組み合わせに応じて前記媒体に付与された磁性素子により形成される情報を読み取る情報読取手段とを具備することを特徴とする。
【００１２】
また、請求項２の発明は、請求項１の発明において、前記複数の検知手段は、前記磁界が与えられることにより前記磁性素子から発生される信号を検出する検知コイルをそれぞれ具備し、前記検知コイルは、各中心位置がそれぞれ等間隔で格子状に配置されること
を特徴とする。
【００１３】
また、請求項３の発明は、請求項２の発明において、前記検知コイルは、その検出領域が前記格子状の間隔に対応して設定されることを特徴とする。
【００１４】
また、請求項４の発明は、請求項１乃至３のいずれかの発明において、前記情報読取手段は、前記検知手段の検知出力の有無に応じて前記媒体に付与された磁性素子により形成される情報を読み取ることを特徴とする。
【００１５】
また、請求項５の発明は、請求項１乃至３のいずれかの発明において、前記情報読取手段は、前記検知手段の検出信号パターンに応じて前記媒体に付与された磁性素子により形成される情報を読み取ることを特徴とする。
【００１６】
また、請求項６の発明は、請求項１乃至３のいずれかの発明において、前記磁性素子は、長さおよび形状が異なる磁性素子を含み、前記情報読取手段は、前記磁性素子の数および長さおよび形状の組み合わせに対応して前記検知手段により検出される検出信号パターンに応じて前記媒体に付与された磁性素子により形成される情報を読み取ることを特徴とする。
【００１７】
また、請求項７の発明は、請求項１乃至３のいずれかの発明において、前記磁性素子から発生される信号は、前記磁性素子が磁化反転時に発する磁束変化に基づく信号であることを特徴とする。
【００１８】
また、請求項８の発明は、請求項１乃至３のいずれかの発明において、前記磁性素子から発生される信号は、前記磁性素子が磁歪振動により発する信号であることを特徴とする。
【００１９】
また、請求項９の発明は、少なくとも１つの磁性素子を媒体に付与し、前記媒体に磁界を与え、該磁界により前記媒体に付与された前記少なくとも１つの磁性素子から発生される信号を複数の検知手段で検出し、前記複数の検知手段のうちの前記磁性素子から発生される信号が検出された前記検知手段の組み合わせに応じて前記媒体に付与された磁性素子により形成される情報を読み取ことを特徴とする。
【００２０】
また、請求項１０の発明は、磁界が与えられることにより信号を発生する少なくとも１つの磁性素子が付与された媒体であって、前記磁性素子は、該磁性素子を検出する検知コイルの配置間隔に基づく検知領域を越えた間隔で配置され、前記磁性素子の数に対応して前記媒体を特定する情報が形成されることを特徴とする。
【００２１】
また、請求項１１の発明は、請求項１０の発明において、前記磁性素子は、長さや形状が異なる磁性素子を含み、前記磁性素子の数および長さや形状の組み合わせに対応して前記媒体を特定する情報を形成することを特徴とする。
【００２２】
また、請求項１２の発明は、請求項１０または１１の発明において、前記磁性素子は、磁気特性が異なる磁性素子を含み、前記磁性素子により形成される情報は、該磁性素子の数および長さおよび磁気特性のうちの少なくとも２つの組み合わせに対応して前記媒体を特定する情報を形成することを特徴とする。
【００２３】
また、請求項１３の発明は、請求項１０乃至１２のいずれかの発明において、前記磁性素子から発生される信号は、前記磁性素子が磁化反転時に発する磁束変化に基づく信号であることを特徴とする。
【００２４】
また、請求項１４の発明は、請求項１０至１３のいずれかの発明において、前記磁性素子から発生される信号は、前記磁性素子が磁歪振動により発する信号であることを特徴とする。
【発明の効果】
【００２５】
この発明の磁性素子を付与した媒体、媒体の情報読取方法および装置によれば、媒体に磁界を与え、該磁界により媒体に付与された磁性素子から発生される信号を検出する複数の検知手段と、複数の検知手段のうちの磁界が与えられることにより磁性素子から発生される信号が検出された検知手段の組み合わせに応じて媒体に付与された磁性素子により形成される情報を読み取る情報読取手段とを具備するので、媒体を載置する際の媒体の上下左右の配置方向に関わらず媒体に付与された複数の磁性素子を同時に確実に検知して、より高精度に媒体の識別情報が読み取れる。
【００２６】
また、媒体に付与された磁性素子の配置パターンが検知できるので、より多くの情報量が付与された媒体の識別情報を読み取ることができ、高いセキュリティー性が確保された媒体が提供できるという効果を奏する。
【発明を実施するための最良の形態】
【００２７】
この発明に係わる磁性素子を付与した媒体、媒体の情報読取方法および装置は、有価証券等の不正複写による偽造防止、機密情報や個人情報等が印刷された用紙の不正複写による情報漏洩防止、あるいは文書管理等を目的として、例えば印刷機や複写機等に適用される。
【００２８】
印刷機に適用する場合は、情報を印刷する用紙を用紙固有を識別する識別情報が磁性素子で表現されて付与された専用紙が用いられ、専用紙の識別情報と、専用紙に印刷された情報とを対応付けて管理することで、文書管理が可能な印刷機として用いられる。
【００２９】
また、複写機に適用する場合は、管理された機密情報等が複写されようとした場合は、機密情報等が印刷された原稿に付与された磁性素子を検知することで原稿が機密文書または重要文書であると判別され、当該原稿を取り扱う権限のあるパスワードが入力された場合のみ複写動作を可とすることで機密情報や重要文書等が不正複写されて情報が漏洩するもしくは偽造されることを防止することができる。
【００３０】
本実施例においては、磁性素子で対応付けられて表現された識別情報が付与された媒体と、その媒体の情報読取方法および装置を複写機に適用した場合を例に説明する。
【実施例１】
【００３１】
以下、本発明に係わる磁性素子を付与した媒体、媒体の情報読取方法および装置を複写機に適用した一例について添付図面を参照して詳細に説明する。
【００３２】
図１は、本発明に係わる情報読取装置１００を備えた複写機１０の概略図であり、図１（ａ）は複写機１０を概略的に示したブロック図、図１（ｂ）は、複写機１０の概略的な斜視図である。
【００３３】
図１（ａ）、（ｂ）に示すように、複写機１０は、複写機１０のプラテンガラス１４上に載置された原稿１に付与された磁性素子１１１、１１２、１１３を検出し、検出結果に基づき原稿１の識別情報を検知する情報読取装置１００と、複写機１０の全体を統括制御するとともに、情報読取装置１００から出力される原稿１の識別情報と、ユーザにより入力されたパスワードとに基づき入力パスワードが原稿１の複写を可とする権限のあるパスワードであるか否かを判別し、原稿１の複写を可とするパスワードが入力された場合は、複写機１０による原稿１の複写動作を行い、原稿１の複写を可とするパスワードが入力されなかった場合は、複写禁止の制御を行う制御部１１と、プラテンガラス１４上に載置された原稿１に対して光を投光し、投光による原稿１の反射光を図示せぬ光電変換素子（例えば、ＣＣＤ＝Ｃｈａｒｇｅ  Ｃｕｏｐｌｅ  Ｄｅｖｉｃｅ等）で受光して電気信号に変換し、変換された電気信号に基づき原稿１の画情報を読み取り、読み取った画情報に対して所定の画像処理を施す画像読取装置１２と、画像読取装置１２により読み取られた原稿１の画情報を用紙トレイ１６から給紙される用紙５４へ印刷出力して排紙トレイ１７へ排紙する画像形成部１３を備えている。
【００３４】
また、画像形成部１３は、画像読取装置１２で原稿１から読み取った画情報が画像処理後、出力される出力画像データに応じてレーザ光を感光ドラム１３２へ出射し、感光ドラム１３２の走査露光制御を行う露光制御部１３１と、露光制御部１３１の走査露光制御により感光ドラム１３２表面上に形成された潜像を各色のトナーで現像してトナー画像を形成する現像器１３３と、現像器１３３により感光ドラム１３２上に形成されたトナー画像を転写する転写ドラム１３４と、転写ドラム１３４上に形成されたトナー画像を用紙トレイ１６から給紙される用紙５４上に定着させる定着装置１３５とを備えている。
【００３５】
また、複写機１０のプラテンカバー１５内には、プラテンガラス１４上に載置された原稿１に付与された磁性素子１１１、１１２、１１３を検出するための情報読取装置１００の複数の励磁コイル１０１と複数の検知コイル１０２とが配置されており、各励磁コイル１０１からは所定の交番磁界が発信され、各検知コイル１０２は、各励磁コイル１０１から発信された交番磁界や各磁性素子から発せられる磁気パルスや電磁波等を受信するとともに情報読取装置１００が原稿１に付与された磁性素子１１１、１１２、１１３の検出結果に基づき原稿１の識別情報を検知し、出力する。
【００３６】
複写機１０には、予め原稿の複写を可とする権限を有するパスワードと、原稿の識別情報とが対応付けたパスワード情報が記憶保持されており、このパスワード情報と原稿から検知した原稿の識別情報とを照会することでプラテンガラス１４上に載置された原稿１が複写可または複写不可の何れの原稿であるかが判別される。
【００３７】
なお、原稿１に磁性素子が付与されていない場合は、複写可の原稿として判別し、複写機１０による原稿１の複写動作を行う。
【００３８】
また、情報読取装置１００の構成及び原稿１に付与された磁性素子１１１、１１２、１１３の検知方法については後述する。
【００３９】
このように構成された複写機１０がプラテンガラス１４上に載置された原稿１の識別情報の検知結果に基づき原稿１の複写または複写禁止等の処理を行う動作について簡単に説明する。
【００４０】
複写機１０のプラテンガラス１４上に原稿１が載置され、プラテンカバー１５を閉じて（図中の矢印方向）、図示せぬ複写開始ボタンを押下されると、複写機１０の制御部１１は、原稿１を複写する複写動作に先立ち、情報読取装置１００を起動して動作させる。
【００４１】
情報読取装置１００が動作すると、各励磁コイル１０１から所定の交番磁界が発信され、プラテンガラス１４上の原稿１に付与された各磁性素子１１１、１１２、１１３が交番磁界を受けて磁化され、磁化反転時に急峻な磁気パルスを発する、もしくは各磁性素子が磁歪振動し、磁歪振動により各磁性素子から電磁波が発せられる。
【００４２】
各磁性素子から発せられる磁気パルス、もしくは電磁波は、プラテンガラス１４上に載置された原稿１の方向に応じて原稿１に付与された各磁性素子が配置する位置と最も近傍に配置された検知コイル１０２によって受信され、複数の検知コイル１０２のうちの各磁性素子から発せられる磁気パルス、もしくは電磁波を受信した検知コイル１０２の配置位置に基づき情報読取装置１００が原稿１の識別情報を検知する。
【００４３】
情報読取装置１００が原稿１の識別情報を検知すると、ユーザへパスワード入力を促す「パスワードを入力して下さい」等の音声メッセージ、もしくは表示を行い、入力されたパスワードと情報読取装置１００から出力された原稿１の識別情報とに基づき原稿１の複写動作、もしくは複写禁止動作の制御を行う。
【００４４】
具体的には、入力パスワードと原稿１の識別情報とをパスワード情報で照会し、原稿１の識別情報に対応したパスワード情報に登録された登録パスワードと、入力パスワードとが一致した場合は、複写動作の制御を行う。
【００４５】
また、登録パスワードと、入力パスワードとが一致しない場合は、「この原稿は複写不可です」等の複写禁止を示すメッセージまたは警告音等を出力するとともに複写不可動作の制御を行う。
【００４６】
なお、情報読取装置１００が原稿１から磁性素子が発する信号を検知できなかった場合は、複写可の原稿として認識され複写動作の制御が行われる。
【００４７】
複写機１０の複写動作の制御が行われると、複写機１０のプラテンガラス１４上に載置された原稿１の画情報が画像読取装置１２により読み取られ、読み取られた画情報が画像形成部１３で用紙トレイ１６から給紙される用紙５４に印刷されて排紙トレイ１７へ排紙される。
【００４８】
なお、情報読取装置１００による原稿１の識別情報の検知は、原稿１が複写機１０のプラテンガラス１４上に載置された後、複写機１０に対して複写開始指示後、もしくは複写開始指示前のどちらでもよく、特に限定されるものではない。
【００４９】
また、原稿１に付与される磁性素子の種類、本数、及び形状は、特に限定されるものではなく、原稿１を識別するために付与された原稿１の識別情報に応じて磁性素子は、一つでもよく、複数種類の複数の磁性素子が付与されてもよい。
【００５０】
また、原稿１に付与される磁性素子は、該磁性素子を検出する検知コイルの配置間隔に基づく検知領域を越えた間隔で配置されていればよい。
【００５１】
図２は、本発明に係わる情報読取装置１００の要部の構成を示すブロック図である。
【００５２】
なお、図２に示す情報読取装置１００は、原稿１に付与された各磁性素子が所定の磁界を受けると磁化反転時に急峻な磁気パルスを発する、所謂大バルクハウゼン効果の特性を有する磁性素子である場合に適用される情報読取装置である。
【００５３】
また、図２においては、情報読取装置１００の複数の励磁コイル１０１及び検知コイル１０２は、一つの励磁コイル１０１及び検知コイル１０２とで対を構成した複数の励磁コイル１０１及び検知コイル１０２が複写機１０のプラテンカバー１５内に配置されている。
【００５４】
図２は、本発明に係わる情報読取装置１００の要部の構成を示すブロック図である。
【００５５】
なお、図２に示す情報読取装置１００は、原稿１に付与された各磁性素子が所定の磁界を与えられることで磁化し、磁化反転時に急峻な磁気パルスを発する、所謂大バルクハウゼン効果の特性を有する磁性素子である場合に適用される情報読取装置である。
【００５６】
また、図２においては、情報読取装置１００の複数の励磁コイル１０１及び検知コイル１０２は、一つの励磁コイル１０１及び検知コイル１０２とで対を成して構成され、複写機１０のプラテンカバー１５内に配置されている。
【００５７】
図２に示すように、情報読取装置１００は、ｉ＝１、２、・・・、ｍとｊ＝１２・・・ｎとで配置位置が特定される複数の励磁コイル（ｉ、ｊ）１０１及び複数の検知コイル（ｉ、ｊ）１０２と、各励磁コイル（ｉ、ｊ）１０１に対応してそれぞれ接続された複数の励磁回路（ｉ、ｊ）１０３と、各検知コイル（ｉ、ｊ）１０２に対応してそれぞれ接続された複数の検知回路（ｉ、ｊ）１０４と、タイミング制御部１０５と、信号処理部１０６と、ビット出力部１０７とを備えている。
【００５８】
各励磁回路（ｉ、ｊ）１０３は、各励磁回路（ｉ、ｊ）１０３にそれぞれ接続された励磁コイル（ｉ、ｊ）１０１を介して所定の交番磁界を発生させるための制御を行う。
【００５９】
各検知回路（ｉ、ｊ）１０４は、各検知回路（ｉ、ｊ）１０４に接続された検知コイル（ｉ、ｊ）１０２で受信された信号に基づき原稿１に付与された磁性素子１１１、１１２、１１３が所定の磁界を与えられることで磁化し、磁化反転時に発する急峻な磁気パルスの検出信号を検出する。
【００６０】
信号処理部１０６は、複数の検知回路（ｉ、ｊ）１０４のうちの各磁性素子が発する磁気パルスに対応した検出信号を出力した検知回路（ｉ、ｊ）１０４の組み合わせに基づき原稿１に付与された磁性素子１１１、１１２、１１３を検知する。
【００６１】
ビット出力部１０７は、信号処理部１０６から出力される原稿１に付与された磁性素子１１１、１１２、１１３の検知結果に基づき原稿１の識別情報を検知し、検知結果を出力する。
【００６２】
タイミング制御部１０５は、交番磁界の周期に応じたタイミングで交番磁界や各磁性素子が発する磁気パルスが検知回路１０４が検知できるように各励磁回路（ｉ、ｊ）１０３と各検知回路（ｉ、ｊ）１０４とのタイミング制御を行う。
【００６３】
このように構成された情報読取装置１００で検知される磁性素子の特性及びその検知方法について図３乃至図８を参照しながら説明する。
【００６４】
図３において、図３（ａ）は、原稿２に付与された大きさ及び形状が互いに異なる磁性素子１１１と磁性素子２０１を示す図であり、図３（ｂ）は、磁性素子１１１、２０１の各磁気特性を示す図である。
【００６５】
また、図４において、図４（ａ）は、各検知回路（ｉ、ｊ）１０４直下に原稿２の磁性素子１１１、２０１が配置された場合の各検知回路（ｉ、ｊ）１０４が原稿２から検出する交番磁界及び磁性素子１１１、２０１が発する磁気パルスの検出信号を示す図であり、図４（ｂ）は、図４（ａ）で示した検出信号に基づき信号処理後、各検知回路（ｉ、ｊ）１０４から出力される検出パルス信号を示す図である。
【００６６】
なお、原稿に付与される磁性素子は、複数種類の複数の磁性素子を組み合わせて付与してもよいが、図３においては、説明の便宜上、円型の形状をした磁性素子１１１と直線状の形状をした磁性素子２０１が付与された例が示されている。
【００６７】
図３（ａ）及び（ｂ）に示すように、原稿２に付与された磁性素子１１１、２０１は、例えば、Ｆｅ−Ｃｏ系アモルファス材の磁性材ワイヤーであり、磁性素子１１１が磁性材ワイヤーを円型の形状に加工形成したものであり、磁性素子１１１が磁性材ワイヤーを直線の形状に加工形成したものである。
【００６８】
また、図３（ｂ）に示すように、原稿２に付与された磁性素子１１１、２０１は、それぞれ磁気履歴曲線３１０、３１１で示されるような磁気特性を有しており、磁性素子１１１は、磁気履歴曲線３１０に示されるような例えば保磁力Ｈ１を有し、磁性素子２０１は、磁気履歴曲線３１１に示されるような例えば保磁力Ｈ２を有している。
【００６９】
保磁力Ｈ１を有する磁性素子１１１は、磁界強度がＨ１を超える交番磁界を受けることで磁化反転し、その際に急峻な磁気パルスを発し、保磁力Ｈ２を有する磁性素子２０１は、磁界強度がＨ２を超える交番磁界を受けることで磁化反転し、その際に急峻な磁気パルスを発する。
【００７０】
各磁性素子１１１、２０１が有する固有の保磁力Ｈ１、Ｈ２は、各磁性素子の大きさや形状等によって異なり、例えば、図４（ａ）の検出信号４０２に示すように、保磁力Ｈ１を有する磁性素子１１１は、タイミング制御部１０５から出力された基準信号からの時間ｔ１で磁界強度が略Ｈ１になった交番磁界を受けることで磁化反転し、その際に急峻な磁気パルスＡを発し、時間ｔ３で磁界強度が略−Ｈ１になった交番磁界を受けることで磁化反転し、その際に急峻な磁気パルスＣを発する。
【００７１】
また、保磁力Ｈ２を有する磁性素子２０１は、時間ｔ２で磁界強度が略Ｈ２になった交番磁界を受けることで磁化反転し、その際に急峻な磁気パルスＢを発し、時間ｔ４で磁界強度が略−Ｈ２になった交番磁界を受けることで磁化反転し、その際に急峻な磁気パルスＤを発する。
【００７２】
情報読取装置１００の各検知回路（ｉ、ｊ）１０４は、各検知回路（ｉ、ｊ）１０４にそれぞれ接続された受信コイル（ｉ、ｊ）１０２を介して図４（ａ）に示すような各検知回路（ｉ、ｊ）１０４から発せられた交番磁界対応した検出信号４０１と、各磁性素子１１１、２０１が磁化反転時に発する磁気パルスＡ、Ｂ、Ｃ、Ｄを含んだ検出信号４０２を検出する。
【００７３】
受信コイル（ｉ、ｊ）１０２を介して検出された検出信号４０２は、検出信号４０２から交番磁界成分の検出信号４０１が除去され、パルス信号Ａ、Ｂ、Ｃ、Ｄのうちの正の信号成分であるパルス信号Ａ、Ｂが検出され、更に増幅してノイズ成分を除去後、図４（ｂ）に示すような検出パルス信号Ａ、Ｂが検出される。
【００７４】
なお、各検知回路（ｉ、ｊ）１０４直下に原稿２の各磁性素子が配置されていない場合は、各検知回路（ｉ、ｊ）１０４からは、検出パルス信号は出力されない。
【００７５】
各検知回路（ｉ、ｊ）１０４で検出された検出パルス信号Ａ、Ｂは、信号処理部１０６へ出力され、信号処理部１０６が各検知回路（ｉ、ｊ）１０４から出力される検出パルス信号Ａ、Ｂの出力信号に基づき原稿２に付与された磁性素子１１１、２０１を検知する。
【００７６】
具体的には、複数の検知回路（ｉ、ｊ）１０４のうちの検出パルス信号が出力された検知回路（ｉ、ｊ）１０４の組み合わせに応じて原稿２に付与された磁性素子の数及び種類を検知する。
【００７７】
信号処理部１０６は、原稿２に付与された磁性素子１１１、２０１の検知結果をビット出力部１０７へ出力し、ビット出力部１０７が磁性素子１１１、２０１に対応付けられた識別情報を「０」または「１」の値に変換された多ビットの情報で出力する。
【００７８】
なお、原稿に付与された磁性素子とその識別情報との対応付けの詳細は後述する。
【００７９】
図５及び図６は、本発明に係わる情報読取装置１００の複数の励磁コイル（ｉ、ｊ）１０１及び検知コイル（ｉ、ｊ）１０２の要部の構成及び磁性素子を付与した媒体の要部の構成を示す図である。  
図５において、図５（ａ）は、プラテンカバー１５内の複数の励磁コイル（ｉ、ｊ）１０１及び検知コイル（ｉ、ｊ）１０２の配置を示す図、図５（ｂ）は、複数の励磁コイル（ｉ、ｊ）１０１及び検知コイル（ｉ、ｊ）１０２の配置位置の詳細を示す図である。
【００８０】
また、図６のいて、図６（ａ）は、本発明に係わる磁性素子を付与した媒体である原稿１の一例を示す図であり、図６（ｃ）は、原稿１が複写機１０のプラテンガラス１４上に載置された後、プラテンカバー１５を閉じた際の原稿１と励磁コイル（ｉ、ｊ）１０１及び検知コイル（ｉ、ｊ）１０２との配置関係を示す図である。
【００８１】
図５（ａ）に示すように、プラテンカバー１５内には、円形状の同一の大きさと検知領域を有する複数の励磁コイル（ｉ、ｊ）１０１（ｉ、ｊ）及び検知コイル（ｉ、ｊ）１０２がそれぞれ等間隔で格子状に規則正しく配置されている。
【００８２】
具体的には、図５（ｂ）に示すように、複数の励磁コイル（ｉ、ｊ）１０１と複数の検知コイル（ｉ、ｊ）１０２がそれぞれ１個ずつ対を成し、左右方向にｊ＝１、２、３、４、５、６、・・・ｎで示されるｎ個、上下方向にｉ＝１、２、３、４、５、６、・・・ｍで示されるｍ個の合計ｍ×ｎ個の励磁コイル（ｉ、ｊ）１０１及び検知コイル（ｉ、ｊ）１０２が等間隔に格子状に配置されている。
【００８３】
なお、各励磁コイル（ｉ、ｊ）１０１及び検知コイル（ｉ、ｊ）１０２の並びは、説明の便宜上、各励磁コイル（ｉ、ｊ）１０１及び検知コイル（ｉ、ｊ）１０２のｊの値が変化する方向を左右方向、ｉの値が変化する方向を上下方向とする。
【００８４】
また、各励磁コイル（ｉ、ｊ）１０１及び検知コイル（ｉ、ｊ）１０２は、それぞれ各励磁コイル（ｉ、ｊ）１０１及び検知コイル（ｉ、ｊ）１０２の中心位置から上下左右方向にそれぞれ隣り合う各励磁コイル（ｉ、ｊ）１０１及び検知コイル（ｉ、ｊ）１０２のそれぞれの中心位置までの間隔がｄの距離だけ離間されて配置されており、各励磁コイル（ｉ、ｊ）１０１及び検知コイル（ｉ、ｊ）１０２による磁性素子が発する信号の検知領域がそれぞれ各励磁コイル（ｉ、ｊ）１０１及び検知コイル（ｉ、ｊ）１０２のそれぞれの中心位置から√２×ｄの直径で形成される円の領域を検知領域とするように配置されている。
【００８５】
例えば、励磁コイル（ｉ、ｊ）１０１及び検知コイル（ｉ、ｊ）１０２の中心位置が（２、２）に配置された励磁コイル（２、２）１０１及び検知コイル（２、２）１０２の検知領域は、円の中心位置を（２、２）とする直径が√２×ｄで形成される円５０１を検知領域とする。
【００８６】
同様に、励磁コイル（ｉ、ｊ）１０１及び検知コイル（ｉ、ｊ）１０２の中心位置が（４、３）に配置された励磁コイル（ｉ、ｊ）１０１及び検知コイル（ｉ、ｊ）１０２の検知領域は、円の中心位置を（４、３）とする直径が√２×ｄで形成される円５０２、励磁コイル（ｉ、ｊ）１０１及び検知コイル（ｉ、ｊ）１０２の中心位置が（４、４）に配置された励磁コイル（ｉ、ｊ）１０１及び検知コイル（ｉ、ｊ）１０２の検知領域は、円の中心位置を（４、４）とする直径が√２×ｄで形成される円５０３、励磁コイル（ｉ、ｊ）１０１及び検知コイル（ｉ、ｊ）１０２の中心位置が（５、３）に配置された励磁コイル（ｉ、ｊ）１０１及び検知コイル（ｉ、ｊ）１０２の検知領域は、円の中心位置を（５、３）とする直径が√２×ｄで形成される円５０４、励磁コイル（ｉ、ｊ）１０１及び検知コイル（ｉ、ｊ）１０２の中心位置が（５、４）に配置された励磁コイル（ｉ、ｊ）１０１及び検知コイル（ｉ、ｊ）１０２の検知領域は、円の中心位置を（５、４）とする直径が√２×ｄで形成される円５０５をそれぞれ検知領域とする。
【００８７】
また、本発明に係わる磁性素子を付与した媒体である原稿１には、図６（ａ）に示すように、磁性素子１１１、１１２、１１３がそれぞれ互いに所定の距離を超えるように離間されて付与されている。
【００８８】
具体的には、各磁性素子１１１、１１２、１１３は、プラテンカバー１５内の複数の励磁コイル（ｉ、ｊ）１０１及び検知コイル（ｉ、ｊ）１０２がそれぞれ等間隔に離間された距離ｄの３√２倍、すなわち３√２×ｄの長さを超える距離だけ離間されて原稿１に付与されている。
【００８９】
このように構成された複数の励磁コイル（ｉ、ｊ）１０１及び検知コイル（ｉ、ｊ）１０２と原稿１とを用いることで、プラテンガラス１４上に載置された原稿１の方向に応じて原稿１が複写機１０のプラテンガラス１４上に載置された後、プラテンカバー１５を閉じた際の原稿１と励磁コイル（ｉ、ｊ）１０１及び検知コイル（ｉ、ｊ）１０２とが図６（ｂ）に示すような配置関係となる。
【００９０】
図７は、原稿１に付与された各磁性素子と励磁コイル（ｉ、ｊ）１０１及び検知コイル（ｉ、ｊ）１０２との配置関係に応じて各磁性素子が発する信号を検知する励磁コイル（ｉ、ｊ）１０１及び検知コイル（ｉ、ｊ）１０２との対応を示す図である。
【００９１】
図７（ａ）に示すように、プラテンガラス１４上に載置された原稿１の方向に応じて原稿１の磁性素子３１１が励磁コイル（ｉ、ｊ）１０１及び検知コイル（ｉ、ｊ）１０２の中心位置（５、１）の位置７０１、磁性素子３１２が励磁コイル（ｉ、ｊ）１０１及び検知コイル（ｉ、ｊ）１０２の中心位置（２、４）の位置７０２にそれぞれ配置されている。
【００９２】
このように配置された場合は、原稿１の磁性素子３１１が所定の交番磁界を与えられることで発する信号がコイルの中心位置（５、１）の位置７０１に配設された励磁コイル（５、１）１０１及び検知コイル（５、１）１０２により検知され、磁性素子３１２が発する信号がコイルの中心位置（２、４）の位置７０２に配設された励磁コイル（２、４）１０１及び検知コイル（２、４）１０２により検知される。
【００９３】
また、図７（ｂ）に示すように、プラテンガラス１４上に載置された原稿１の方向に応じて原稿１の磁性素子３１１が励磁コイル（ｉ、ｊ）１０１及び検知コイル（ｉ、ｊ）１０２の中心位置がそれぞれ（５、１）、（５、２）、（６、１）、（６、２）からそれぞれ等距離の位置７０３、磁性素子３１２が励磁コイル（ｉ、ｊ）１０１及び検知コイル（ｉ、ｊ）１０２の中心位置がそれぞれ（２、４）、（２、５）、（３、４）、（３、５）からそれぞれ等距離の位置７０４にそれぞれ配置されている。
【００９４】
このように配置された場合は、各コイルの中心位置（５、１）、（５、２）、（６、１）、（６、２）に対応した４つの励磁コイル（５、１）１０１及び検知コイル（５、１）１０２、励磁コイル（５、２）１０１及び検知コイル（５、２）１０２、励磁コイル（６、１）１０１及び検知コイル（６、１）１０２、励磁コイル（６、２）１０１及び検知コイル（６、２）１０２がそれぞれ形成する検知領域に磁性素子３１１が存在することになるので、これら４つの励磁コイル（ｉ、ｊ）１０１及び検知コイル（ｉ、ｊ）１０２で磁性素子３１１が所定の交番磁界を与えられることで発する信号が検知される。
【００９５】
また、磁性素子３１２は、各コイルの中心位置（２、４）、（２、５）、（３、４）、（３、５）に対応した４つの励磁コイル（２、４）１０１及び検知コイル（２、４）１０２、励磁コイル（２、５）１０１及び検知コイル（２、５）１０２、励磁コイル（３、４）１０１及び検知コイル（３、４）１０２、励磁コイル（３、５）１０１及び検知コイル（３、５）１０２がそれぞれ形成する検知領域に存在することになるので、これら４つの励磁コイル（ｉ、ｊ）１０１及び検知コイル（ｉ、ｊ）１０２で磁性素子３１２が所定の交番磁界を与えられることで発する信号が検知される。
【００９６】
このことから情報読取装置１００の信号処理部１０６は、複数の検知回路（ｉ、ｊ）１０４のうちの検出パルス信号を検出して出力した検知回路（ｉ、ｊ）１０４の組み合わせに基づき原稿１に付与された各磁性素子を検知する。
【００９７】
図８は、信号処理部１０６が各検知回路（ｉ、ｊ）１０４から出力される検出パルス信号に基づき原稿１に付与された各磁性素子を検知する方法の一例を示すフローチャートである。
【００９８】
図８に示すように、信号処理部１０６は、各検知回路（ｉ、ｊ）１０４での検出パルス信号の検出結果を検知回路（ｉ、ｊ）１０４のｉ＝１、２、・・・、ｎ、ｊ＝１，２、・・・、ｍの順に確認し、検出パルス信号が検出された検知回路（ｉ、ｊ）１０４が存在する場合は、当該検知回路（ｉ、ｊ）１０４の他に当該検知回路（ｉ、ｊ）１０４と接続された検知コイル（ｉ、ｊ）１０１と左上側に隣接する位置、上側に隣接する位置、右上側に隣接する位置、左側に隣接する位置、右側に隣接する位置、左下側に隣接する位置、右下側に隣接する位置にそれぞれ配置された各検知コイル（ｉ、ｊ）１０１に接続されたそれぞれの検知回路（ｉ、ｊ）１０１で検出パルス信号が検出された場合であっても同一の磁性素子が発した検出信号であると検知する。
【００９９】
具体的には、原稿１に付与された磁性素子の数を示すカウンター（＝ＣＯＵＮＴ）と、検知回路（ｉ、ｊ）を指定するポインターｉ及びｊの値を初期設定（ＣＯＵＮＴ＝０、ｉ＝０、ｊ＝０）後（ステップＳ８０１乃至Ｓ８０３）、各検知回路（ｉ、ｊ）１０４での検出パルス信号の検出有無をポインターがｉ＝１、２、・・・、ｎ、ｊ＝１，２、・・・、ｍの順で指定される各検知回路（ｉ、ｊ）１０４毎に確認する（ステップＳ８０４）。
【０１００】
ステップＳ８０４において、検出パルス信号を検出した検知回路（ｉ、ｊ）１０４が存在する場合は（ステップＳ８０４でＹＥＳ）、当該検知回路（ｉ、ｊ）１０４と接続された検知コイル（ｉ、ｊ）１０１と左上側、上側、右上側、左側に隣接してそれぞれ配置された各検知コイル（ｉ、ｊ）１０１と接続された検知回路（ｉ−１、ｊ−１）１０４、検知回路（ｉ−１、ｊ）１０４、検知回路（ｉ−１、ｊ＋１）１０４、検知回路（ｉ、ｊ−１）１０４で検出パルス信号が検出されていない場合に磁性素子の数を計数するカウンター（＝ＣＯＵＮＴ）をカウントアップ（ステップＳ８０５乃至Ｓ８１２）する。
【０１０１】
次に、検出パルス信号を検出した検知回路（ｉ、ｊ）１０４と接続された検知コイル（ｉ、ｊ）１０１の右側に隣接して配置された検知コイル（ｉ、ｊ＋１）１０１での検出パルス信号の検出有無を確認し、同様な動作処理を検知回路（ｍ、ｎ）１０４まで繰り返し確認することで（ステップＳ８０３乃至Ｓ８１６）、原稿に付与された磁性素子の数を検知することができる。
【０１０２】
ビット出力部１０７は、信号処理部１０６から出力される原稿に付与された磁性素子の数に応じた識別情報を検知し、検知結果を出力する。
【０１０３】
ビット出力部１０７が磁性素子の数に応じた識別情報を検知する方法の一例について図９を参照し説明する。
【０１０４】
図９は、磁性素子３１１、３１２、３１３を組合わせて形成された識別情報が付与された原稿の一例を示した図である。
【０１０５】
図９（ａ）は、磁性素子が全く付与されていない原稿３０を示す図、図９（ｂ）は、磁性素子が１本付与されている原稿３１を示す図、図９（ｃ）は、磁性素子が２本付与されている原稿３２を示す図、図９（ｄ）は、磁性素子が３本付与されている原稿３２を示す図である。
【０１０６】
ビット出力部１０７が磁性素子の数に応じた識別情報を検知する場合は、例えば、原稿に付与される磁性素子の数に応じたビット数の識別情報として検知する。
【０１０７】
具体的には、３本の磁性素子を組み合わせて識別情報が表現されて原稿に付与されている場合は、磁性素子３本の数に対応して識別情報を３ビット情報とし、図９（ａ）に示す原稿３０のように磁性素子が全く付与されていない場合は、「０００」の識別情報、図９（ｂ）に示す原稿３１のように磁性素子が１本付与されている場合は、「１００」の識別情報、図９（ｃ）に示す原稿３２のように磁性素子が２本付与されている場合は、「１１０」の識別情報、図９（ｄ）に示す原稿３３のように磁性素子が３本付与されている場合は、「１１１」の識別情報としてそれぞれ検知する。
【０１０８】
このようにビット出力部１０７は、信号処理部１０６が複数の検知回路（ｉ、ｊ）１０４のうちの各磁性素子が発する磁気パルスに対応した検出信号を出力した検知回路（ｉ、ｊ）１０４の組み合わせに基づき原稿に付与された磁性素子の数の検知結果に基づき原稿の識別情報を多ビットの情報で出力する。
【０１０９】
なお、本発明に係わる媒体に付与される磁性素子は、図１０（ａ）乃至（ｅ）に示されるように、円形型（図１０（ａ））、直線型（図１０（ｂ））、Ｌ字型（図１０（ｃ））、十字型（図１０（ｄ））、三角形型（図１０（ｅ））等の種々の形状の磁性素子を用いることが可能である。
【０１１０】
これらの磁性素子は、図３及び図４で説明したように、磁性素子の大きさ、形状、磁気特性等に応じた保磁力を有するので、これら各磁性素子が磁界を与えられることで各磁性素子が有する保磁力に対応した検出パルス信号（例えば、検出時間、検出出力）が検出される。
【０１１１】
具体的には、原稿２（図３（ａ）参照）に示されるように、円形型の磁性素子１１１と、直線型の磁性素子の２本の磁性素子を組み合わせて識別情報が形成されている場合は、磁性素子１１１が交番磁界を与えられることで検出パルス信号Ａが検出され、磁性素子２０１が交番磁界を与えられることで検出パルス信号Ｂが検出されるので、信号処理部１０６が複数の検知回路（ｉ、ｊ）１０４のうちの各磁性素子１１１、２０１が発する磁気パルスに対応した検出信号を出力した検知回路（ｉ、ｊ）１０４の組み合わせに基づき磁性素子の数を検知し、検出パルス信号Ａ、Ｂの検出信号に基づき磁性素子１１１、２０１を検知して、その検知結果を出力することで原稿１に付与された磁性素子の数と種類に対応付けされた識別情報を検知することができる。
【０１１２】
図１１は、励磁コイルと検知コイルの形状とその配置の一例を示す図である。
【０１１３】
図１１（ａ）に示すように、格子状に配列された複数の円形状の検知コイル１０２と、左右方向の複数列の検知コイル１０２が配置された領域の大きさを有する矩形状の励磁コイル２０１を複数配置することで各検知コイル１０２の検知領域に配置された原稿の磁性素子に対して磁界を与えることができ、励磁コイルの数を抑えることができる。
【０１１４】
また、図１１（ｂ）に示すように、格子状に配列された複数の円形状の検知コイル１０２と、図１１（ａ）で示した複数の励磁コイル２０１と、上下方向の複数列の検知コイル１０２が配置された領域の大きさを有する矩形状の励磁コイル２０２を複数配置することで各検知コイル１０２の検知領域に配置された原稿の磁性素子に対して、より確実に磁界を与えることができる。
【０１１５】
また、図１１（ｃ）に示すように、格子状に配列された複数の円形状の検知コイル１０２と、最も外側に配置された複数の検知コイル１０２の並びで形成される矩形の大きさ有する矩形状の励磁コイル２０３と、次に内側に配置された複数の検知コイル１０２の並びで形成される矩形の大きさ有する矩形状の励磁コイル２０４と、次に内側に配置された複数の検知コイル１０２の並びで形成される矩形の大きさ有する矩形状の励磁コイル２０５と、次に内側に配置された複数の検知コイル１０２の並びで形成される矩形の大きさ有する矩形状の励磁コイル２０５とを配置することで各検知コイル１０２の検知領域に配置された原稿の磁性素子に対して磁界を与えることができ、励磁コイルの数を抑えることができる。
【０１１６】
図１２は、図２で示した情報読取装置１００とは他の構成で媒体に付与された磁性素子に対応付けられた識別情報を読み取るように構成された情報読取装置２００の要部の構成を示すブロック図である。
【０１１７】
なお、図１２に示す情報読取装置２００は、原稿に付与された磁性素子が所定の磁界を受けると磁歪振動する特性を有する磁性素子である場合に適用される情報読取装置である。
【０１１８】
図１２に示すように、情報読取装置２００は、ｉ＝１、２、・・・、ｍとｊ＝１２・・・ｎとで配置位置が特定される複数の励磁コイル（ｉ、ｊ）１０１及び複数の検知コイル（ｉ、ｊ）１０２を備えており、複数の励磁コイル（ｉ、ｊ）１０１を介して低周波から高周波へ順次変化する所定の交番磁界を発信させるための制御を行う複数の励磁回路（ｉ、ｊ）２０３と、複数の励磁コイル（ｉ、ｊ）１０１から発信された所定の交番磁界を複写機１０のプラテンガラス１４上の原稿４に付与された磁性素子４１１、４１２（以下、説明の便宜上、「磁歪振動素子４１１」、「磁歪振動素子４１２」という。）が磁化されて磁歪振動し、その際に発せられる電磁波を検知コイル（ｉ、ｊ）１０２を介して電圧信号で検出する複数の検知回路（ｉ、ｊ）２０４と、検知回路（ｉ、ｊ）２０４で検出された検出信号に基づき原稿４に付与された磁歪振動素子４１１、４１２を検知し、原稿４に付与された磁歪振動素子の数と種類を検知する信号処理部２０６と、信号処理部２０６から出力される磁歪振動素子の検知結果に基づき識別情報を出力するビット出力部２０７と、複数の励磁回路（ｉ、ｊ）２０３及び検知回路（ｉ、ｊ）２０４との周波数制御を行う周波数制御回路２０５を備えている。
【０１１９】
なお、周波数制御回路２０５は、励磁回路２０３で生成した交番磁界の周波数に対応して各検知回路（ｉ、ｊ）２０４の図示せぬバンドパスフィルター回路等の設定周波数を帯域制限等の制御動作を行う。
【０１２０】
また、原稿４に付与された磁歪振動素子４１１、４１２の検知は、周波数が低周波から高周波へ順次変化する交番磁界を間欠的に発信して磁歪振動素子４１１、４１２に与え、各励磁コイル（ｉ、ｊ）１０１から交番磁界が発信されていない間に磁歪振動素子４１１、４１２が磁歪振動により発する電磁波を検出するように構成されている。
【０１２１】
また、励磁コイル（ｉ、ｊ）１０１から間欠的に発信される交番磁界は、所定の低周波から所定の高周波へ順次変化し、所定の高周波に達したら再び所定の低周波から所定の高周波へ順次変化しながら間欠的に発信する動作が繰り返されるように構成されている。
【０１２２】
このように構成された情報読取装置２００が原稿４に付与された磁歪振動素子４１１、４１２を検知する動作について図１３を参照しながら詳細に説明する。
【０１２３】
図１３において、図１３（ａ）は、情報読取装置２００で検知される磁歪振動素子４１１、４１２が付与された原稿４の一例を示す図であり、図１３（ｂ）は、磁歪振動素子４１１、４１２が磁歪振動により発する電磁波が各検知回路（ｉ、ｊ）２０４で検出される検出信号を示す図である。
【０１２４】
図１３（ａ）に示すように、原稿４には、原稿４の識別情報を形成する磁歪振動素子４１１，４１２が付与されている。
【０１２５】
各磁歪振動素子４１１、４１２は、フェライトやアモルファス等の薄箔状の素子であり、外部から所定の磁界を与えることで寸法変化を起こすような、いわゆる磁歪特性を有している。
【０１２６】
各磁歪振動素子に対して低周波から高周波へ、もしくは高周波から低周波へ順次変化する所定の交番磁界を与えることで各磁歪振動素子が特定の周波数の交番磁界を受けた時に最も大きく磁歪振動する。
【０１２７】
また、各磁歪振動素子が最も大きく磁歪振動する交番磁界の周波数は、各磁歪振動素子の大きさや形状等に応じて特定される固有の周波数（以下、「共振周波数」という。）を有する。
【０１２８】
なお、ここでは、磁歪振動素子４１１の共振周波数がｆ２、磁歪振動素子４１２の共振周波数がｆ１であるものとして説明する。
【０１２９】
また、各磁歪振動素子が磁歪振動することで、各磁歪振動素子が寸法変化を起こし、各磁歪振動素子から電磁波が発せられる。
【０１３０】
このことから、原稿４に付与された各磁歪振動素子に対して各磁歪振動素子それぞれ固有の共振周波数に対応した交番磁界を与えて磁歪振動させ、各磁歪振動素子が発する電磁波を検出することで原稿４に付与された各磁歪振動素子を検出することができる。
【０１３１】
情報読取装置２００が原稿４に付与された各磁歪振動素子を検知する場合は、各励磁回路（ｉ、ｊ）２０３の図示せぬ電圧制御発振回路（例えば、ＶＣＯ＝Ｖｏｌｔａｇｅ  Ｃｏｎｔｒｏｌｌｅｄ  Ｏｓｃｉｌｌａｔｏｒ等）に電圧を供与し、電圧制御発振回路で制御された電圧に応じた波形信号を生成し、生成された波形信号を電力増幅して各励磁コイル（ｉ、ｊ）１０１を介して低周波から高周波へ変化する交番磁界を間欠的に発信する制御を行う。
【０１３２】
具体的には、低周波の交番磁界を一定時間発信後、一定時間発信を停止し、次に高い周波数の交番磁界を一定時間発信後、一定時間発信を停止して順次同様な発信と発信停止を所定の低周波から所定の高周波に達するまで繰り返し、交番磁界の周波数が所定の高周波に達したら、再び所定の低周波から所定の高周波へ連続して直線的に変化する交番磁界の発信と発信停止の動作を繰り返す。
【０１３３】
この動作により各励磁コイル（ｉ、ｊ）１０１から発信された周波数ｆ１の交番磁界を原稿４に付与された各磁歪振動素子が受けることで磁歪振動素子４１１が最も大きく磁歪振動し、周波数ｆ２の交番磁界を原稿４に付与された磁歪振動素子４１２が受けることで磁歪振動素子４１２が最も大きく磁歪振動する。
【０１３４】
各磁歪振動素子が磁歪振動することで各磁歪振動素子からは電磁波が発せられ、各磁歪振動素子の近傍に配置された検知コイル（ｉ、ｊ）１０２と接続された検知回路（ｉ、ｊ）２０４が電圧信号の受信信号として検出し、検知回路（ｉ、ｊ）２０４の図示せぬバンドパスフィルター回路等で濾波され、図示せぬ増幅回路等で増幅されて図１３（ｂ）に示すように磁歪振動素子４１１の近傍に配置された検知コイル（ｉ、ｊ）１０２と接続された検知回路（ｉ、ｊ）２０４では、磁歪振動素子４１１の共振周波数ｆ１に対応したパルス信号Ｅが検出され、磁歪振動素子４１２の近傍に配置された検知コイル（ｉ、ｊ）１０２と接続された検知回路（ｉ、ｊ）２０４では、磁歪振動素子４１２の共振周波数ｆ２に対応したパルス信号Ｆが検出される。
【０１３５】
信号処理部２０６は、パルス信号Ｅを検出した検知回路（ｉ、ｊ）２０４と、パルス信号Ｆを検出した検知回路（ｉ、ｊ）２０４とに基づき原稿４に付与された磁歪振動素子の数と種類を検知し、その検知結果をビット出力部２０７へ出力する。
【０１３６】
ビット出力部２０７は、信号処理部２０６から出力された磁歪振動素子の数と種類に対応付けられた識別情報を検知し、検知結果を多ビットの情報で出力する。
【０１３７】
このように複数の検知回路のうちの原稿に付与された磁性素子を検知した検知回路と、当該検知回路が検知した磁性素子の種類との組み合わせに応じて原稿に付与された磁性素子により形成される識別情報を読み取るので、原稿が載置される上下左右の配置方向に関わらず原稿に付与された複数の磁性素子を同時に確実に検知し、より高精度に原稿の識別情報を読み取ることができる。
【図面の簡単な説明】
【０１３８】
【図１】本発明に係わる情報読取装置１００を備えた複写機１０の概略図
【図２】情報読取装置１００の要部の構成を示すブロック図
【図３】原稿２に付与された磁性素子１１１、２０１の磁気特性を示す図
【図４】検知回路で検出される磁性素子１１１、２０１の検出信号の一例を示す図
【図５】励磁コイル１０１及び検知コイル１０２の要部の構成を示す図
【図６】本発明に係わる磁性素子を付与した媒体の一例を示す図
【図７】磁性素子を検知する検知回路と原稿に付与された複数の磁性素子と複数の励磁コイル１０１及び検知コイル１０２との配置関係の一例を示す図
【図８】信号処理部１０６が磁性素子を検知した検知回路の組み合わせに基づき原稿に付与された磁性素子の数を方法の一例を示す図
【図９】ビット出力部１０７が原稿に付与された磁性素子の数に対応して検知する識別情報の一例を示す図
【図１０】本発明に係わる原稿に付与される磁性素子の形状の一例を示す図
【図１１】励磁コイルと検知コイルの形状とその配置の一例を示す図
【図１２】情報読取装置１００とは他の構成の情報読取装置２００の要部を示すブロック図
【図１３】情報読取装置２００が原稿４に付与された磁歪振動素子を検知する方法の一例を示す図
【符号の説明】
【０１３９】
１、２、４、３０、３１、３２、３３  原稿
１０    複写機
１１    制御部
１２    画像読取部
１３    画像形成部
１４    プラテンガラス
１５    プラテンカバー
１６    給紙トレイ
１７    排紙トレイ
１００、２００  情報読取装置
１０１  励磁コイル
１０２  検知コイル
１０３、２０３  励磁回路
１０４、２０４  検知回路
１０５  タイミング制御部
１０６、２０６  信号処理部
１０７、２０７  ビット出力部
１１１、１１２、１１３、２０１  磁性素子
１３１  露光制御装置
１３２  感光ドラム
１３３  現像器
１３４  転写ドラム
１３５  定着装置
３１０、３１１  磁気履歴曲線
４０２  検出信号
４１１、４１２  磁歪振動素子
【図１】
2006268321.tif 000003
【図２】
2006268321.tif 000004
【図３】
2006268321.tif 000005
【図４】
2006268321.tif 000006
【図５】
2006268321.tif 000007
【図６】
2006268321.tif 000008
【図７】
2006268321.tif 000009
【図８】
2006268321.tif 000010
【図９】
2006268321.tif 000011
【図１０】
2006268321.tif 000012
【図１１】
2006268321.tif 000013
【図１２】
2006268321.tif 000014
【図１３】
2006268321.tif 000015